(57)【要約】  冷気による扉への露付きを抑制しつつ、製造も容易な冷蔵庫を得ることを目的とする。この発明は、複数の貯蔵室のうち上下に隣合って配置された第１の貯蔵室と第２の貯蔵室との間を仕切る仕切壁と、仕切壁に取り付けられた断熱シートと、を備える。仕切壁は、第１の貯蔵室の下面及び第２の貯蔵室の上面を形成する壁構造部材と、冷蔵庫本体の前面側の壁構造部材の端部に取り付けられ仕切壁の冷蔵庫本体の前面側の端面を構成する仕切壁前板と、を備え、扉は、扉の第１の貯蔵室を向いた面である扉内面に取り付けられ、扉を閉じたときに第１の貯蔵室を閉塞するガスケットと、扉内面においてガスケットの内側に位置し、第１の貯蔵室に向かって突出しているスロートと、を備える。仕切壁前板は、扉を閉じたときにガスケットと接触し、仕切壁前板と壁構造部材の端部とは、組み合わさって加熱手段を配置する空間を形成し、断熱シートは、第１の貯蔵室の下面のうちスロートの下方に固定されている。
2020157852.tif 000002
【特許請求の範囲】
【請求項１】
複数の貯蔵室を有する冷蔵庫本体と、
前記冷蔵庫本体の前面に設けられ、前記複数の貯蔵室を閉じる扉と、
前記複数の貯蔵室のうち上下に隣合って配置された第１の貯蔵室と第２の貯蔵室との間を仕切る仕切壁と、
前記仕切壁に取り付けられた断熱シートと、を備え、
前記仕切壁は、
前記第１の貯蔵室の下面及び前記第２の貯蔵室の上面を形成する壁構造部材と、
前記冷蔵庫本体の前面側の前記壁構造部材の端部に取り付けられ前記仕切壁の前記冷蔵庫本体の前面側の端面を構成する仕切壁前板と、を備え、
前記扉は、
前記扉の前記第１の貯蔵室を向いた面である扉内面に取り付けられ、前記扉を閉じたときに前記第１の貯蔵室を閉塞するガスケットと、
前記扉内面において前記ガスケットの内側に位置し、前記第１の貯蔵室に向かって突出しているスロートと、を備え、
前記仕切壁前板は、
前記扉を閉じたときに前記ガスケットと接触し、
前記仕切壁前板と前記壁構造部材の前記端部とは、
組み合わさって加熱手段を配置する空間を形成し、
前記断熱シートは、
前記第１の貯蔵室の前記下面のうち前記スロートの下方に固定されている、冷蔵庫。
【請求項２】
前記仕切壁は、
前記壁構造部材の前記端部に固定された防風シートを更に備え、
前記防風シートは、
前記壁構造部材と前記仕切壁前板との隙間に配置される、請求項１に記載の冷蔵庫。
【請求項３】
複数の貯蔵室を有する冷蔵庫本体と、
前記冷蔵庫本体の前面に設けられ、前記複数の貯蔵室を閉じる扉と、
前記複数の貯蔵室のうち上下に隣合って配置された第１の貯蔵室と第２の貯蔵室との間を仕切る仕切壁と、
前記仕切壁に固定された防風シートと、を備え、
前記仕切壁は、
前記第１の貯蔵室の下面及び前記第２の貯蔵室の上面を形成する壁構造部材と、
前記冷蔵庫本体の前面側の前記壁構造部材の端部に取り付けられ前記仕切壁の前記冷蔵庫本体の前面側の端面を構成する仕切壁前板と、を備え、
前記扉は、
前記扉の前記第１の貯蔵室を向いた面である扉内面に取り付けられ、前記扉を閉じたときに前記第１の貯蔵室を閉塞するガスケットと、
前記扉内面において前記ガスケットの内側に位置し、前記第１の貯蔵室に向かって突出しているスロートと、を備え、
前記仕切壁前板は、
前記扉を閉じたときに前記ガスケットと接触し、
前記仕切壁前板は、
前記壁構造部材の前記端部に嵌め込まれ、前記壁構造部材の前記端部との間に加熱手段を配置する空間を形成し、
前記防風シートは、
前記壁構造部材と前記仕切壁前板との間に配置される、冷蔵庫。
【請求項４】
前記仕切壁に取り付けられた断熱シートを更に備え、
前記断熱シートは、
前記第１の貯蔵室の前記下面のうち前記スロートの下方に固定されている、請求項３に記載の冷蔵庫。
【請求項５】
前記断熱シートの前記第１の貯蔵室の奥側に位置する端面は、
前記スロートの先端よりも前記第１の貯蔵室の前側に位置する、請求項１、２、又は４の何れか１項に記載の冷蔵庫。
【請求項６】
前記断熱シートの前記第１の貯蔵室の奥側に位置する端面の上端に位置する角は、
前記スロートの先端の下側の曲面の中央から引いた仮想接線よりも前記第１の貯蔵室の前側に位置する、請求項１、２、又は４の何れか１項に記載の冷蔵庫。
【請求項７】
前記壁構造部材は、
上端部と下端部とが前側に突出し、
前記仕切壁前板は、
前記壁構造部材の前記上端部と下端部との間に嵌め込まれ、
前記防風シートは、
前記上端部の下側の面に貼り付け固定される、請求項２〜４の何れか１項に記載の冷蔵庫。
【請求項８】
前記防風シートは、
独立気泡を有する材料で構成される、請求項２、３、４、又は７の何れか１項に記載の冷蔵庫。
【発明の詳細な説明】
【技術分野】
【０００１】
本発明は、冷蔵庫に関し、貯蔵室扉への露付を抑制するための構造に関するものである。
【背景技術】
【０００２】
冷凍冷蔵庫において、冷凍室は外気との温度差が大きく、扉に露が付きやすい。冷凍室の扉は、冷凍室側を向いた面にガスケットが取り付けられ冷凍室の冷気を漏れ出さないように構成されている。冷凍室の扉の下端面は、冷凍室内の冷気がスロートと冷凍室の底面を形成する仕切壁の上面との間からガスケット側へ侵入し、仕切壁の前面側の端面にある仕切壁前板の温度を下げる。そのため、仕切壁前板からの熱伝導によって冷凍室の扉の下端面の温度が下がり、露点温度未満となっている扉の表面に露付が発生する。このような冷気侵入は、露付だけでなく、冷気が冷凍室内を循環する際のロスとなり、ひいては省エネ効率の悪化にもつながる。【０００３】
特許文献１では、冷凍室の扉は、第１のシール部材としてのガスケットに対し冷凍室の内側に位置する第２のシール部材を有する。第２のシール部材は、軟質プラスチックと硬質プラスチックとを一体成形して構成されている。冷凍室の扉は、冷凍室内側に向かって突出するスロートを有し、スロートの下部には第２のシール部材を取り付ける固定部材が設けられている。固定部材は、空洞部を有し、内部に第２のシール部材硬質プラスチックの部分を取り付けられるように構成されている。空洞部は、硬質プラスチックとの間に硬質プラスチックが可動できる程度の隙間を有する。上記構成により、第２のシール部材は庫内前後方向に揺動可能となっている。さらに、冷凍室の底面を形成する仕切壁の上面には冷凍室の内側方向に突出した凸部が設けられており、冷凍室の扉を閉めた際に第２のシール部材を構成する軟質プラスチックと当接し、冷凍室の内部がシールされる。【０００４】
特許文献２では、仕切壁の開口部から冷凍室の内部への熱侵入抑制を目的として、仕切壁を構成する上側仕切板の上面に上側仕切板の板厚を１０〜５０％に凹ませた熱縁切り部を設けている。そして、上側仕切板には、熱縁切り部の冷凍室側への露出を覆う間口断熱部材（発泡ポリエチレン等）が固着されている。
【先行技術文献】
【特許文献】
【０００５】
【特許文献１】特開２００３−１７２５６６号公報
【特許文献２】特開２０１５−４８９５３号公報
【発明の概要】
【発明が解決しようとする課題】
【０００６】
特許文献１で示される第２のシール部材によるシール構造は、スロートの下部に固定用の硬質プラスチック及び揺動する硬質プラスチックと軟質プラスチックとの一体成形品、並びに、仕切壁の上面に凸部を有し、部品数が多い。そのため、冷蔵庫は、コストが高く、構造も複雑になり、不具合が生じやすい。【０００７】
特許文献２で示される構造では、間口断熱部材の冷凍庫側の端部がスロートの先端よりも冷凍庫の奥側に位置する。従って、スロートに沿って間口断熱部材上に落ちてきた冷気が、仕切壁の前面側の端面を形成する金属当接部材、及び扉に取り付けられたガスケットの方へ侵入することが懸念される。また、上側仕切板に熱縁切り部が設けられているため、上側仕切板は、樹脂成形において、樹脂の流動性が阻害され、成形時に不具合を生じやすい。【０００８】
本発明は、上記のような課題を解決するためのものであり、冷気による扉への露付きを抑制しつつ、製造も容易な冷蔵庫を得ることを目的とする。
【課題を解決するための手段】
【０００９】
本発明の冷蔵庫は、複数の貯蔵室を有する冷蔵庫本体と、前記冷蔵庫本体の前面に設けられ、前記複数の貯蔵室を閉じる扉と、前記複数の貯蔵室のうち上下に隣合って配置された第１の貯蔵室と第２の貯蔵室との間を仕切る仕切壁と、前記仕切壁に取り付けられた断熱シートと、を備え、前記仕切壁は、前記第１の貯蔵室の下面及び前記第２の貯蔵室の上面を形成する壁構造部材と、前記冷蔵庫本体の前面側の前記壁構造部材の端部に取り付けられ前記仕切壁の前記冷蔵庫本体の前面側の端面を構成する仕切壁前板と、を備え、前記扉は、前記扉の前記第１の貯蔵室を向いた面である扉内面に取り付けられ、前記扉を閉じたときに前記第１の貯蔵室を閉塞するガスケットと、前記扉内面において前記ガスケットの内側に位置し、前記第１の貯蔵室に向かって突出しているスロートと、を備え、前記仕切壁前板は、前記扉を閉じたときに前記ガスケットと接触し、前記仕切壁前板と前記壁構造部材の前記端部とは、組み合わさって加熱手段を配置する空間を形成し、前記断熱シートは、前記第１の貯蔵室の前記下面のうち前記スロートの下方に固定されている。
【発明の効果】
【００１０】
本発明は、上記の構成を備えることにより、仕切壁前板と壁構造部材との間の空間に、仕切壁に落ちた冷凍室内からの冷気が侵入するのを抑制する。そして、冷気が仕切壁前板と壁構造部材との隙間から加熱手段まで到達するのを抑制する。また、断熱シートを冷凍室の下側面であって、スロートの下方に固定することにより、断熱を増し、壁構造部材からの熱伝導により加熱手段の熱を逃がすことがない。そのため、仕切壁前板の温度が上がり、冷凍室の扉の温度も上がるため、露付きが抑制される。断熱シートを所定の位置に固定するのみの簡易な構造であるため、露付きを抑制しつつ、製造も容易でコストが抑えた冷蔵庫が得られる。
【図面の簡単な説明】
【００１１】
【図１】実施の形態１に係る冷蔵庫の斜視図である。
【図２】実施の形態１に係る冷蔵庫の断面図である。
【図３】図２のＡ部の拡大図である。
【図４】実施の形態１に係る冷蔵庫の冷凍室の内部の斜視図である。
【図５】実施の形態１に係る冷蔵庫の仕切壁の前側端部の斜視図である。
【図６】実施の形態１に係る冷蔵庫の比較例としての仕切壁の前側端部周辺の拡大断面図である。
【図７】実施の形態１に係る冷蔵庫の仕切壁の前側端部周辺の拡大断面図である。
【図８】実施の形態１に係る冷蔵庫の断熱シートの設置位置の説明図である。
【図９】実施の形態１に係る冷蔵庫の比較例の冷凍室の内部の熱流体解析の結果を示す。
【図１０】実施の形態１に係る冷蔵庫の冷凍室の内部の熱流体解析の結果を示す。
【図１１】図９の冷凍室の内部の温度分布を示す図である。
【図１２】図１０の冷凍室の内部の温度分布を示す図である。
【発明を実施するための形態】
【００１２】
以下に、本発明に係る冷蔵庫の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１３】
実施の形態１．
図１は、実施の形態１に係る冷蔵庫１００の斜視図である。冷蔵庫本体１は、内部が複数の貯蔵室に分かれている箱体１３を備えている。箱体１３の内部は、上から順に冷蔵室２、製氷室３、切替室４、冷凍室５、及び野菜室６を有する。以下の説明において、冷蔵室２、製氷室３、切替室４、冷凍室５、及び野菜室６をそれぞれ貯蔵室と称する場合がある。複数の貯蔵室は、それぞれ開閉自在に箱体１３に取り付けられた扉により閉塞されている。冷蔵室２は、開閉自在である観音開きの左冷蔵室扉７と右冷蔵室扉８により閉塞されている。製氷室３は製氷室扉９、切替室４は切替室扉１０、冷凍室５は冷凍室扉１１、野菜室６は野菜室扉１２によりそれぞれ閉塞されている。以下の説明において、左冷蔵室扉７、右冷蔵室扉８、製氷室扉９、切替室扉１０、冷凍室扉１１、及び野菜室扉１２のそれぞれを扉と称する場合がある。ただし、各貯蔵室の配置は、上記のものに限定されるものではない。例えば、上から順に冷蔵室２、野菜室６、冷凍室５が配置された３ドアの冷蔵庫や、冷蔵室２と冷凍室５のみが配置された２ドアの冷蔵庫でもよい。また、冷蔵庫１００において、扉が設置されている側を前面、前面に対向する反対側の面を背面と称し、前面側を前、背面側を後又は奥として方向を表す。
【００１４】
複数の貯蔵室が内部に形成されている箱体１３は、箱体１３の天面及び側面が一体となって形成された外箱１４で覆われている。各貯蔵室の内側の壁を形成する内箱１５との間には断熱材となるウレタンが充填されている。
【００１５】
図２は、実施の形態１に係る冷蔵庫１００の断面図である。冷蔵室２の内部には貯蔵物を載置する棚２ａ及びチルド室２ｂ等が設置されている。また、右冷蔵室扉８の冷蔵室２側を向いた面には棚２ｃが設置されている。また、図２には図示されていないが左冷蔵室扉７も同様に棚２ｃが設置されている。
【００１６】
切替室４は、内部に切替室ケース４ａが配置されており、切替室扉１０を引くことにより切替室ケース４ａを切替室４の内部から引き出せる構造となっている。冷凍室５は、内部に上冷凍ケース１６と下冷凍ケース１７とが配置されている。冷凍室扉１１を引くことにより、上冷凍ケース１６及び下冷凍ケース１７を冷凍室５の内部から引き出せる構造となっている。野菜室６は、内部に野菜室ケース１８と野菜室ケース１９とが配置されている。野菜室扉１２を引くことにより、野菜室ケース１８及び野菜室ケース１９を野菜室６の内部から引き出せる構造となっている。各貯蔵室を閉塞する扉は、ガスケット２８を有する。ガスケット２８は、各扉の貯蔵室を向いた側の面に取り付けられており、冷蔵庫本体１の前側の端面に接触し、貯蔵室からの冷気の漏洩、外部からの熱の侵入を抑制するものである。
【００１７】
冷蔵庫１００は、冷凍室５の背面側に冷却器２０を有する。冷蔵室２、切替室４、及び冷凍室５の背面側には、冷却器２０により冷却された空気（冷気）を貯蔵室に送るための風路が形成されている。風路にはファン２１が配置されており、ファン２１は、冷気を上方へ送る。また、冷蔵庫１００の背面側の下部には、冷凍サイクル回路の冷媒を圧縮する圧縮機２２が配置されている。
【００１８】
次に、冷凍室５を例として、冷凍室扉１１の露付きを抑制する構造について説明する。なお、以下の説明の冷凍室５を第１の貯蔵室、野菜室６を第２の貯蔵室と称する場合がある。つまり、上下に隣り合っている貯蔵室のうち、上側の貯蔵室を第１の貯蔵室、下側を第２の貯蔵室と称する場合がある。図２に示される様に、冷凍室５の内部の奥側の面には、冷凍室５の内部に冷気を循環させるための吹出口２３と戻り口２４とが設けられている。冷却器２０によって生成された冷気は吹出口２３から冷凍室５の内部へと送り出され、切替室４と冷凍室５と間の仕切壁２５と上冷凍ケース１６との間を通って冷凍室扉１１側に向かって流れる。その後、冷気は、冷凍室扉１１の内側面を形成する内板２６に沿って下方に降り、下冷凍ケース１７と仕切壁２５の間を通って戻り口２４へと戻る。
【００１９】
図３は、図２のＡ部の拡大図である。冷凍室扉１１は、内板２６、ガスケット２８、ドアキャップ２９、扉板３０で構成されている。扉板３０は、冷蔵庫１００の前面に位置しており、冷蔵庫１００の外観を構成している。ドアキャップ２９は、扉板３０の下端部に取り付けられており、冷凍室扉１１の下端面を構成している。内板２６は、冷凍室扉１１の冷凍室５側に向いた面である扉内面を構成している。冷凍室扉１１は、内板２６、ドアキャップ２９、及び扉板３０により囲まれる領域に断熱材３１としてウレタンが充填されている。
【００２０】
内板２６は、下部に冷凍室５の内部に向かって突出するスロート２７を備える。スロート２７は、冷凍室５の下側面を形成する壁構造部材３２との間に間隙を持って位置している。また、冷凍室扉１１の扉内面は、仕切壁２５の前側端面と接触し冷凍室５を閉塞するガスケット２８を備える。図３に示される断面において、スロート２７は、ガスケット２８よりも上方に位置する。また、冷凍室扉１１を冷凍室５側から見た時に、スロート２７は、ガスケット２８よりも内側、即ち冷凍室扉１１の中央寄りに位置する。ガスケット２８の内部には断熱材３１としてウレタンが充填されている。
【００２１】
仕切壁２５は、仕切壁２５の上面、つまり冷凍室５の下面を形成する壁構造部材３２と、仕切壁２５の下面、つまり野菜室６の上面を形成する壁構造部材３３とを備える。壁構造部材３２と壁構造部材３３との間の空間には、断熱材３１としてウレタンが充填される。
【００２２】
壁構造部材３２の冷蔵庫１００の前面側の端部は、仕切壁前板３４が取り付けられている。仕切壁前板３４は、断面において上端部と下端部とが冷蔵庫１００の背面側に向かって突出しており、その突出している部分を壁構造部材３２の前側の端部に挿し込んで取り付けられる。壁構造部材３２の端部と仕切壁前板３４とにより囲まれる空間には、露付防止のためコンデンサパイプ３５が設置され、コンデンサパイプ３５の壁構造部材３２側、即ち冷蔵庫１００の背面側には緩衝材３６が配置されており、コンデンサパイプ３５の仕切壁前板３４側には保温するための保温シート３７がそれぞれ配置されている。なお、コンデンサパイプ３５は、加熱手段とも称する。
【００２３】
壁構造部材３２の上面には、断熱シート４４が貼り付け固定されている。断熱シート４４は、冷凍室扉１１のスロート２７の下方に位置しており、冷凍室５の奥側に向かって突出しているスロート２７の先端よりも冷蔵庫１００の前面側に位置している。断熱シート４４の上面は、スロート２７との間に所定の隙間を持って位置している。
【００２４】
図４は、実施の形態１に係る冷蔵庫１００の冷凍室５の内部の斜視図である。図４は、冷凍室５から冷凍室扉１１、上冷凍ケース１６、及び下冷凍ケース１７を取り外した状態の図である。断熱シート４４は、冷凍室５の下面の全幅に亘って貼り付けられている。また、断熱シート４４は、コンデンサパイプ３５が配置されている仕切壁２５の前面側端部の上方に位置している。断熱シート４４は、コンデンサパイプ３５の熱が冷凍室５の内部に逃げないようにする断熱の役割と、冷凍室５の内部を循環する冷気がガスケット２８側に流れるのを抑制するためのシール材としての役割を有する。
【００２５】
図５は、実施の形態１に係る冷蔵庫１００の仕切壁２５の前側端部の斜視図である。図５は、仕切壁２５から仕切壁前板３４、コンデンサパイプ３５、緩衝材３６、及び保温シート３７を取り外した状態を示している。仕切壁２５の上面を構成する壁構造部材３２の前面側端部は、図３に示される断面において、上端部６０ａ及び下端部６０ｂが前面側に突出している。そして、上端部６０ａと下端部６０ｂとの間に壁部６２が設けられている。壁構造部材３２の前面側端部において突出している上端部６０ａの下側の面である下面６１には、防風シート４５が貼り付けられている。上端部６０ａの下面６１は、防風シート４５は、下面６１の幅方向において一部の領域に貼り付けられている。仕切壁前板３４は、上端部６０ａと下端部６０ｂとの間に嵌め込まれて固定される。防風シート４５は、仕切壁前板３４と壁構造部材３２の上端部６０ａの下面６１との間に生じる隙間３９を塞ぐ。防風シート４５は、隙間３９の大きさに応じて伸縮可能な材料で構成され、例えば気泡を含んだ樹脂材料により構成される。防風シート４５が気泡を含んだ樹脂材料で構成される場合は、空気を通さないように、連続気泡のものではなく、独立気泡のものを使用することが望ましい。
【００２６】
図６は、実施の形態１に係る冷蔵庫１００の比較例としての仕切壁２５の前側端部周辺の拡大断面図である。図６は、図３に対しガスケット２８の周辺をさらに拡大して表示している。比較例においては、仕切壁２５の上面に断熱シート４４が配置されておらず、また、仕切壁前板３４と壁構造部材３２の上端部６０ａの下面６１との間に生じる隙間３９を塞ぐ防風シート４５も設置されていない。よって、冷凍室扉１１の内板２６に沿って降下してきた冷気の流れ３８は、スロート２７の先端を経て仕切壁２５の上面に到る。冷気の流れ３８の一部は、冷凍室５の前面側に流れ、ガスケット２８に当たる。また、ガスケット２８に到った冷気の流れは、仕切壁前板３４と壁構造部材３２の上端部６０ａの下面６１との間に生じる隙間３９に流れ込む。
【００２７】
仕切壁前板３４は、壁構造部材３２の前側端部に嵌め込まれて固定される構造になっている。仕切壁前板３４が壁構造部材３２に嵌り込む構造は、冷凍室５の幅全域に亘っているため、仕切壁前板３４と壁構造部材３２の上端部６０ａの下面６１との間に部分的に隙間３９が生じる。よって、ガスケット２８の周辺に到った冷気は、その隙間３９から仕切壁２５の前面側端部の内部の空間に侵入する。内部の空間には、コンデンサパイプ３５が配置されており、冷気はコンデンサパイプ３５まで到達する。
【００２８】
コンデンサパイプ３５は、発熱し、熱伝導によりガスケット２８、冷凍室扉１１の下端部、及び周辺の空気を暖めることにより、露付きを防止するものである。比較例においては、コンデンサパイプ３５が発熱した場合に、隙間３９を通る空気に対する熱伝導である経路４１と、壁構造部材３２を介して冷凍室５の内部に熱伝導する経路４２との２つの経路で熱が伝わり、コンデンサパイプ３５により生じた熱は、仕切壁前板３４に十分に伝わらず冷凍室５内に逃げてしまう。その結果、ドアキャップ２９の温度が十分に上がらないため、冷凍室扉１１の下端面４３が結露する。
【００２９】
図７は、実施の形態１に係る冷蔵庫１００の仕切壁２５の前側端部周辺の拡大断面図である。図７は、図３に対しガスケット２８の周辺をさらに拡大して表示している。実施の形態１に係る冷蔵庫１００においては、冷凍室扉１１の内板２６に沿って降下してきた冷気の流れ３８は、スロート２７の先端を経て仕切壁２５の上面に到る。冷気の流れ３８の一部は、冷凍室５の前面側に流れるが、断熱シート４４に当たり、ガスケット２８側への冷気の流れが阻害される。また、冷気の流れがガスケット２８に到っても、仕切壁前板３４と壁構造部材３２の上端部６０ａの下面６１との間に生じる隙間３９は、防風シート４５で塞がれているため、冷気がコンデンサパイプ３５まで到達しない。
【００３０】
また、断熱シート４４を仕切壁２５の上面、特に内部にコンデンサパイプ３５が配置されている仕切壁２５の先端部の上面に貼り付けることにより、コンデンサパイプ３５の熱が壁構造部材３２を伝わって冷凍室５の内部に逃げるのが抑制される。
【００３１】
さらに、断熱シート４４は、食品の汁等の液体が冷凍室５内でこぼれた際に、冷凍室５から外部に漏れ出さないようにする汁受けの機能も有する。
【００３２】
図８は、実施の形態１に係る冷蔵庫１００の断熱シート４４の設置位置の説明図である。図８を用いて断熱シート４４の最適な配置及び寸法について述べる。断熱シート４４は、冷気侵入防止と断熱とを目的とするため、できるだけ大きい寸法とすることが望ましい。断熱シート４４の寸法のうち冷蔵庫幅方向の寸法は、冷凍室全幅とするのが望ましい。断熱シート４４の仕切壁２５からの高さ方向の寸法は、冷凍室扉１１を引き出す際に冷凍室扉１１及び下冷凍ケース１７が下がるのを考慮して、下冷凍ケース１７及びスロート２７と接触しない範囲で出来る限り高くするのが望ましい。
【００３３】
断熱シート４４の冷蔵庫１００の前面側に位置する端面は、冷凍室扉１１を閉めた際にガスケット２８と接触しない範囲で最も前面側に位置するように構成される。断熱シート４４の冷凍室５の奥側の端面は、断熱と冷気侵入防止のための最適な位置として、図８に示される位置に配置するのが望ましい。つまり、断熱シート４４の冷凍室５の奥側の端面の上端に位置する角は、スロート２７の先端の下側の曲面４８の中点で仮想接線４９を引いたときに、仮想接線４９の延長線上に位置するのが望ましい。なお、曲面４８は、円筒面であり、断面形状において円弧形状となっている。ただし、曲面４８は、円筒面だけに限定されず、例えば楕円筒面等の曲面であってもよい。
【００３４】
図８に示される冷蔵庫１００においては、スロート２７の下面５０と仮想接線４９とが成す角度５１が約４５度となる位置である。スロート２７の表面に沿って降下する冷気の流れは、スロート２７の下側の曲面４８の中点でスロート２７の表面から離れる。そして、冷気の流れは、仮想接線４９よりも下側を流れることになる。断熱シート４４の冷凍室５の奥側の端面が仮想接線４９の延長線上に位置するため、仮想接線４９よりも下側を流れる冷気は、断熱シート４４に当たり、冷凍室５の奥側に向かって流れることになる。なお、断熱シート４４の冷凍室５の奥側の端面が、仮想接線４９よりも冷凍室５の奥側に位置すると、断熱シート４４の上面とスロート２７の下面との間に冷気が流れ込み易くなる。従って、断熱シート４４の冷凍室５の奥側の端面が仮想接線４９の延長線上に位置することにより、壁構造部材３２の上面の断熱効果も大きくしつつ、冷気のガスケット側への侵入を少なくすることができる。
【００３５】
図９は、実施の形態１に係る冷蔵庫１００の比較例の冷凍室５の内部の熱流体解析の結果を示す。図１０は、実施の形態１に係る冷蔵庫１００の冷凍室５の内部の熱流体解析の結果を示す。図９に示される比較例においては、断熱シート４４の冷凍室５の奥側の端面が、スロート２７の先端よりも奥側に位置している。図９に示される断熱シート４４の場合、壁構造部材３２の上面の断熱は向上するが、断熱シート４４上に降下してきた冷気がガスケット２８側へ侵入しやすくなる。一方、図１０に示されている実施の形態１に係る冷蔵庫１００においては、スロート２７に沿って降下してきた冷気が断熱シート４４に当たり、ガスケット２８側へ流れにくくなっている。
【００３６】
図９及び図１０において、矢印が大きく示されている所は冷気がより多く流れている所である。図９と図１０とを比較すると、図９の方が断熱シート４４とスロート２７との間に流れる冷気が多い。断熱シート４４とスロート２７との間に位置する風量測定点５２で比較すると、図９よりも図１０の方が、風量が７３％程度小さくなっている。
【００３７】
図１１は、図９の冷凍室５の内部の温度分布を示す図である。図１２は、図１０の冷凍室５の内部の温度分布を示す図である。図１１及び図１２には温度等高線が示されており、断熱シート４４の寸法による温度の分布の違いがわかる。図１１及び図１２において、冷凍室扉１１の扉板３０及び野菜室６側の温度が高く、冷凍室５の内部側が温度が低いことが示されており、図中の（１）で示された温度等高線が温度が高く、図中の（２）で示された温度等高線が温度が低い。冷凍室扉１１のドアキャップ２９の温度測定点５３において、熱流体解析と実機試験との両方で温度を確認したところ、図９よりも図１０の方が０．１Ｋ程高くなることが確認できた。つまり、断熱シート４４の冷凍室５の奥側の端面の角は、スロート２７の下側の曲面４８の中点で仮想接線４９を引いたときに、仮想接線４９の延長線上に位置するのが望ましい。
【００３８】
以上に本発明を実施の形態に基づいて説明したが、本発明は上述した実施の形態の構成のみに限定されるものではない。例えば、冷蔵庫１００の扉の部品構成は、適宜変更することができる。以上に説明した、冷凍室扉１１の下端の露付きを抑制する構造は、他の貯蔵室にも適用することができる。特に、製氷室３等の内部の温度が低い貯蔵室に適用すると良い。要するに、いわゆる当業者が必要に応じてなす種々なる変更、応用、利用の範囲をも本発明の要旨（技術的範囲）に含むことを念のため申し添える。
【符号の説明】
【００３９】
１  冷蔵庫本体、２  冷蔵室、２ａ  棚、２ｂ  チルド室、２ｃ  棚、３  製氷室、４  切替室、４ａ  切替室ケース、５  冷凍室、６  野菜室、７  左冷蔵室扉、８  右冷蔵室扉、９  製氷室扉、１０  切替室扉、１１  冷凍室扉、１２  野菜室扉、１３  箱体、１４  外箱、１５  内箱、１６  上冷凍ケース、１７  下冷凍ケース、１８  野菜室ケース、１９  野菜室ケース、２０  冷却器、２１  ファン、２２  圧縮機、２３  吹出口、２４  戻り口、２５  仕切壁、２６  内板、２７  スロート、２８  ガスケット、２９  ドアキャップ、３０  扉板、３１  断熱材、３２  壁構造部材、３３  壁構造部材、３４  仕切壁前板、３５  コンデンサパイプ、３６  緩衝材、３７  保温シート、３９  隙間、４１  経路、４２  経路、４３  下端面、４４  断熱シート、４５  防風シート、４８  曲面、４９  仮想接線、５０  下面、５１  角度、５２  風量測定点、５３  温度測定点、６０ａ  上端部、６０ｂ  下端部、６１  下面、６２  壁部、１００  冷蔵庫。
【図１】
2020157852.tif 000003
【図２】
2020157852.tif 000004
【図３】
2020157852.tif 000005
【図４】
2020157852.tif 000006
【図５】
2020157852.tif 000007
【図６】
2020157852.tif 000008
【図７】
2020157852.tif 000009
【図８】
2020157852.tif 000010
【図９】
2020157852.tif 000011
【図１０】
2020157852.tif 000012
【図１１】
2020157852.tif 000013
【図１２】
2020157852.tif 000014
【手続補正書】
【提出日】令和3年2月1日(2021.2.1)
【手続補正１】
【補正対象書類名】明細書
【補正対象項目名】０００９
【補正方法】変更
【補正の内容】
【０００９】
本発明の冷蔵庫は、複数の貯蔵室を有する冷蔵庫本体と、前記冷蔵庫本体の前面に設けられ、前記複数の貯蔵室を閉じる扉と、前記複数の貯蔵室のうち上下に隣合って配置された第１の貯蔵室と第２の貯蔵室との間を仕切る仕切壁と、前記仕切壁に取り付けられた断熱シートと、を備え、前記仕切壁は、前記第１の貯蔵室の下面及び前記第２の貯蔵室の上面を形成する壁構造部材と、前記冷蔵庫本体の前面側の前記壁構造部材の端部に取り付けられ前記仕切壁の前記冷蔵庫本体の前面側の端面を構成する仕切壁前板と、露付きを防止するための加熱手段と、を備え、前記扉は、前記扉の前記第１の貯蔵室を向いた面である扉内面に取り付けられ、前記扉を閉じたときに前記第１の貯蔵室を閉塞するガスケットと、前記扉内面において前記ガスケットの内側に位置し、前記第１の貯蔵室に向かって突出しているスロートと、を備え、前記仕切壁前板は、前記扉を閉じたときに前記ガスケットと接触し、前記仕切壁前板と前記壁構造部材の前記端部とは、組み合わさって加熱手段を配置する空間を形成し、前記断熱シートは、前記第１の貯蔵室の前記下面のうち前記スロートの下方であって前記加熱手段の上方に固定されている。
【手続補正２】
【補正対象書類名】特許請求の範囲
【補正対象項目名】全文
【補正方法】変更
【補正の内容】
【特許請求の範囲】
【請求項１】
複数の貯蔵室を有する冷蔵庫本体と、
前記冷蔵庫本体の前面に設けられ、前記複数の貯蔵室を閉じる扉と、
前記複数の貯蔵室のうち上下に隣合って配置された第１の貯蔵室と第２の貯蔵室との間を仕切る仕切壁と、
前記仕切壁に取り付けられた断熱シートと、を備え、
前記仕切壁は、
前記第１の貯蔵室の下面及び前記第２の貯蔵室の上面を形成する壁構造部材と、
前記冷蔵庫本体の前面側の前記壁構造部材の端部に取り付けられ前記仕切壁の前記冷蔵庫本体の前面側の端面を構成する仕切壁前板と、
露付きを防止するための加熱手段と、を備え、
前記扉は、
前記扉の前記第１の貯蔵室を向いた面である扉内面に取り付けられ、前記扉を閉じたときに前記第１の貯蔵室を閉塞するガスケットと、
前記扉内面において前記ガスケットの内側に位置し、前記第１の貯蔵室に向かって突出しているスロートと、を備え、
前記仕切壁前板は、
前記扉を閉じたときに前記ガスケットと接触し、
前記仕切壁前板と前記壁構造部材の前記端部とは、
組み合わさって加熱手段を配置する空間を形成し、
前記断熱シートは、
前記第１の貯蔵室の前記下面のうち前記スロートの下方であって前記加熱手段の上方に固定されている、冷蔵庫。
【請求項２】
前記仕切壁は、
前記壁構造部材の前記端部に固定された防風シートを更に備え、
前記防風シートは、
前記壁構造部材と前記仕切壁前板との隙間に配置される、請求項１に記載の冷蔵庫。
【請求項３】
複数の貯蔵室を有する冷蔵庫本体と、
前記冷蔵庫本体の前面に設けられ、前記複数の貯蔵室を閉じる扉と、
前記複数の貯蔵室のうち上下に隣合って配置された第１の貯蔵室と第２の貯蔵室との間を仕切る仕切壁と、
前記仕切壁に固定された防風シートと、を備え、
前記仕切壁は、
前記第１の貯蔵室の下面及び前記第２の貯蔵室の上面を形成する壁構造部材と、
前記冷蔵庫本体の前面側の前記壁構造部材の端部に取り付けられ前記仕切壁の前記冷蔵庫本体の前面側の端面を構成する仕切壁前板と、を備え、
前記扉は、
前記扉の前記第１の貯蔵室を向いた面である扉内面に取り付けられ、前記扉を閉じたときに前記第１の貯蔵室を閉塞するガスケットと、
前記扉内面において前記ガスケットの内側に位置し、前記第１の貯蔵室に向かって突出しているスロートと、を備え、
前記仕切壁前板は、
前記扉を閉じたときに前記ガスケットと接触し、
前記仕切壁前板は、
前記壁構造部材の前記端部に嵌め込まれ、前記壁構造部材の前記端部との間に加熱手段を配置する空間を形成し、
前記防風シートは、
前記壁構造部材と前記仕切壁前板との間の隙間を塞ぐように配置される、冷蔵庫。
【請求項４】
前記仕切壁に取り付けられた断熱シートを更に備え、
前記断熱シートは、
前記第１の貯蔵室の前記下面のうち前記スロートの下方に固定されている、請求項３に記載の冷蔵庫。
【請求項５】
前記断熱シートの前記第１の貯蔵室の奥側に位置する端面は、
前記スロートの先端よりも前記第１の貯蔵室の前側に位置する、請求項１、２、又は４の何れか１項に記載の冷蔵庫。
【請求項６】
前記断熱シートの前記第１の貯蔵室の奥側に位置する端面の上端に位置する角は、
前記スロートの先端の下側の曲面の中央から引いた仮想接線よりも前記第１の貯蔵室の前側に位置する、請求項１、２、又は４の何れか１項に記載の冷蔵庫。
【請求項７】
前記壁構造部材は、
上端部と下端部とが前側に突出し、
前記仕切壁前板は、
前記壁構造部材の前記上端部と下端部との間に嵌め込まれ、
前記防風シートは、
前記上端部の下側の面に貼り付け固定される、請求項２〜４の何れか１項に記載の冷蔵庫。
【請求項８】
前記防風シートは、
独立気泡を有する材料で構成される、請求項２、３、４、又は７の何れか１項に記載の冷蔵庫。
【国際調査報告】
2020157852.tif 000015
2020157852.tif 000016
2020157852.tif 000017
2020157852.tif 000018